(57)【要約】      （修正有）【課題】頭髪用として用いる従来の単純な形態の剃刀において、頭髪のパネル面に対して４５°の角度をもって刃を当てた場合に、従来の剃刀を凌駕する切れ味を示し、かつ使い勝手は従来の剃刀と変わらない頭髪用の剃刀あるいは頭髪用の剃刀の刃体を提供する。【解決手段】刃体が格納されるホルダー部２と手に把握する柄部３が使用時に直線状、曲線状あるいは屈曲線状となる頭髪用剃刀において、ホルダー部２に格納された刃体１を複数の刃を有する刃体とし、かつ複数の刃の先端が重ならないように構成する。【選択図】図１
2006212249.tif 000002
【特許請求の範囲】
【請求項１】
頭髪用として用いる剃刀であって、刃体が格納されるホルダー部と手に把握する柄部が使用時に直線状又は曲線状あるいは屈曲線状となる剃刀において、ホルダー部に格納された刃体が複数の刃を有する刃体であることを特徴とする頭髪用の剃刀の刃体。
【請求項２】
複数の刃の先端が重ならないように構成されていることを特徴とする請求項１に記載の頭髪用の剃刀の刃体。
【請求項３】
複数の刃を有する刃体を、刃を下にして垂直に位置させた場合に、複数の刃の外側を構成する２枚の刃の夫々の先端を通る２枚の垂直面の間の距離が２００μｍ〜８００μｍであり、望ましくは２５０〜６００μｍであり、さらに望ましくは３００μｍ〜５００μｍであることを特徴とする請求項２に記載の頭髪用の剃刀の刃体。
【請求項４】
複数の刃を有する刃体を、刃を下にして垂直に位置させた場合に、複数の刃の外側を構成する２枚の刃の夫々の先端を結んだ面と水平面とのなす角度θが、
１＜tanθ＜４
であり、望ましくは、
１．２＜tanθ＜３
であり、さらに望ましくは、
１．５＜tanθ＜２．５
であり、かつ任意の刃の先端は必ず複数の刃の外側を構成する２枚の刃の夫々の先端を結んだ面より上方に位置しかつ複数の刃の外側を構成する２枚の刃のうちの上方に位置する刃の先端より上に位置することがないことを特徴とする請求項３に記載の頭髪用の剃刀の刃体。
【請求項５】
ホルダー部が、請求項４に記載の複数の刃を有する頭髪用の剃刀の刃体を格納するに足る寸法を有していることを特徴とする頭髪用の剃刀。
【発明の詳細な説明】
【技術分野】
【０００１】
本発明は、頭髪用の剃刀の刃体及び頭髪用の剃刀に関するものであり、さらに詳しくは、頭髪を梳き切るために用いる剃刀において、ホルダー部に格納された刃体が複数の刃を有する刃体であることを特徴とする頭髪用の剃刀の刃体であり、さらに複数の刃の先端が重ならないように構成されていることを特徴とする頭髪用の剃刀の刃体であり、さらに、上記の構成の刃体を格納できる寸法のホルダー部を有する頭髪用の剃刀に関するものである。
【背景技術】
【０００２】
美容室において、従来所謂「カット」と呼称される人体の頭髪を切断する方法においては、「シザーズ」と呼称される頭髪用のハサミか、「レザー」と呼称される頭髪用の剃刀のいずれかを用いて行うのが普通であった。
【０００３】
このうち、現在多くの美容師が用いているのが「シザーズ」と呼称される頭髪用のハサミである。以前は頭髪用の剃刀を用いる「レザーカット」が主流であったが、数十年前からハサミを用いる「シザーズカット」が広く行われるようになり、主流の座が交代して、最近では「レザー」を用いる「レザーカット」は余り行われていないのが現状である。
【０００４】
この理由としては様々な要因が挙げられるが、最も大きな要因としては、「レザーカット」に比較すると「シザーズカット」は初心者において学習習得が容易であるということが挙げられる。では、なぜ学習習得が容易であるかといえば、「シザーズカット」に用いられるハサミは、「レザーカット」に用いられる剃刀よりも取り扱いが容易であるという点が挙げられる。
【０００５】
すなわち、ハサミは物を上面と下面から挟んで挟み切るタイプの切断用具であるのに対し、剃刀は物を片側から押し切るあるいは削ぎ切るタイプの切断用具である。したがって、頭髪を切断する場合にも、切断の要領が大きく異なってくる。この点を、以下に詳しく説明する。
【０００６】
頭髪を「カット」により切断して調髪する場合、まず切断前の準備として、図７ｂに示すように、切断しようとする部分の頭髪の束ＨＢを左手（左ききの人は右手）の人差指と中指の間に挟持し、頭髪の束ＨＢを緊張させて平たい板状とする。このような状態の頭髪の束ＨＢを「パネル」と称する。図７ｂで、符号Ｐで示しているのがパネルである。
【０００７】
この準備を、「パネルを取る」と通常呼称しているので、以下にはこの用語を用いて説明する。図７ｂのようにしてパネルＰを取った場合、頭部（図示せず）は図７ｂの右方にくる。また美容師（図示せず）自身は左方に位置する。したがって、美容師は手前側（図の左方）にパネルＰを引きつけ、パネルＰは頭部と美容師の左手の人差指と中指の間で緊張状態となるので、美容師は、ハサミ（図示せず）あるいは剃刀（図示せず）によってパネルＰを切断することとなる。
【０００８】
この際、ハサミの場合には切断線βを、剃刀の場合には切断線αを切断する。その理由は、ハサミは物を上下から挟み切る道具であるから、パネルＰの緊張状態にない切断線βの部分でも切断可能であるが、これに対し、片側から押え切るあるいは削ぎ切る道具である剃刀を用いる場合には、パネルＰが緊張されている切断線αの部分でないと切断は不可能であるからである。
【０００９】
なお、ハサミの場合にわざわざ緊張状態にない切断線βにて切断する理由は以下のとおりである。すなわち、パネルＰを切断線βにて切断した場合には頭部側の切断面が掌の中に残るが、切断線αで切断すると頭部側の切断面が下方に流れ落ちてしまう。初心者にとっては、頭部側の切断面の切断状況が切断の適否の好材料となるので、切断状況をモニターしやすい切断線βにての切断が好まれる。このような点も、剃刀よりハサミが好まれる一つの理由となっている。
【００１０】
ともかく、ハサミの場合には切断線βで、剃刀の場合には切断線αで切断するわけであるが、前述のように、ハサミは上下から挟み切るので切断が簡単で確実であり、初心者には極めて扱い安い切断用具である。ところが、剃刀の方は、パネルＰを緊張状態にして刃を当てて押し切るあるいは削ぎ切るので、望みどおりに切断するためにはある程度の要領を会得せねばならない。力の入れ方や剃刀の刃を入れる角度等により、切れ味が微妙に異なってくるので、初心者には、その要領を会得するのが中々難しいといわねばならない。しかしながら、その分、慣れればハサミのような単純な切断だけでなく、後に述べるように高度なテクニックをもって様々な切断方法が可能となる。
【００１１】
ともかく、叙上のような理由からハサミによる「シザーズカット」が主流となって今日に至っている。しかしながら、それでは、頭髪の切断用具として、剃刀はもはや無用の長物であるかといえば、決してそうではない。というのは、前述のように剃刀による切断とハサミによる切断は、元々根本的に異なった切断方法であるので、切断後の頭髪の様相も自ずから異なったものとなり、ここからして、剃刀を用いることなくしては調髪が困難な髪型というのもやはり存在するからである。
【００１２】
すなわち、ハサミは、「挟み切る」ことしかできない道具であるのに対して、剃刀は「削ぎ切る」ことができる道具である。ここからして、ハサミを用いた場合の切断面の状況と剃刀を用いた場合の切断面の状況は根本的に異なった様相となる。つまり、ハサミを用いて挟み切った場合には、パネルＰは頭髪の束ＨＢを構成する頭髪の１本１本が切断面で略すべて切断されてしまい、切断面は明確なラインを描くが、剃刀にて削ぎ切る場合には、力の入れ方や剃刀を運動させる距離を右手（左ききの場合には左手）で微妙に制御することにより、切断面を必ずしも線状とすることなく、さらには、パネルＰを構成する頭髪を部分的に削ぎ切り、部分的に切り残すということも技術的に可能となってくるからである。
【００１３】
したがって、剃刀を用いた場合には、剃刀を持つ手の制御次第でパネルＰにおいて任意の割合の頭髪を切断し、残りの頭髪を未切断のまま残すということが可能となる。すなわち、パネルＰの当初の形状を保ったままで、パネルＰを構成する頭髪の量を制御することが可能となるということである。
【００１４】
したがって、このような切断方法を、頭髪全体に対して選択的に行っていくことにより、頭髪全体の所謂「ボリューム」の調整を極めて自然な形で行えることとなる。つまり、頭髪全体の形態を保持しつつ、該形態を構成する頭髪の量を適宜減じることにより、ボリュームの調整を行うことが可能となるのである。
【００１５】
この、自然な印象でボリュームの調整を行えるということは、実は美容調髪においては極めて重要な意味を持つ。すなわち、美容調髪にて造形された髪型を、いかに長く保持できるかという効果に大きな影響を与えるのである。
【００１６】
美容調髪において、美容室にて造形された髪型が長く保持できない理由は以下のとおりである。すなわち、美容室にては、「カット」に加えて様々な整髪剤やブロー（熱風乾燥）あるいはパーマ等の各種手段により顧客の好む髪型を造形するのであるが、整髪剤やブローあるいはパーマ等の各種手段は、顧客が帰宅して洗髪等髪の手入れを繰り返すうちにその効果を失い、顧客の頭髪は、結局本人が元々持っている頭髪の性質に従って、元の形態に戻ろうとする。これが、髪型が保持できない大きな原因である。
【００１７】
しかるに、カットにおいて剃刀を用い、頭髪を削ぎ切ることにより選択的にボリュームを調整された髪型は、調髪終了時には同じ髪型に見えても、頭髪の量自体をその髪型に最もふさわしい量に調整しているので、顧客が帰宅して自分で髪の手入れを行った場合でもなかなか崩れない。洗髪等にて一旦崩れることがあっても、ドライヤーにて熱風乾燥すれば、自然に美容院にて調髪した当初の髪型を復元することができるのである。
【００１８】
さらに、美容院にての調髪においても、ハサミによるシザーズカットでは不可能で、剃刀によるレザーカットでないと造形できない髪型というものも存する。これは、レザーカットが髪の毛のボリューム調整が容易であるということに大きく依存しており、髪の毛の外側の形態はカットせず、内側を選択的に削ぎ切ることにより、髪の毛全体にデリケートな膨らみを与えるという髪型などがこれに当たる。
【００１９】
したがって、美容の世界においては、現在、剃刀を用いるレザーカットが見直される時期にさしかかっており、これから美容技術を習得したいという人々においても、レザーカットの習得に対する要望が増大しつつあるのが現状である。
【００２０】
このような要望を受けて、各地で美容師対象のレザーカットの技術講習会が開催されているが、美容師の初心者にとっては、今まで使っていたハサミとはかなり異なる使い勝手の剃刀に馴染みにくく、技術の向上が思ったほど進まない受講者が多いのも事実である。
【００２１】
初心者にとって、剃刀が使いずらい理由の第１は、やはり切れ味の問題である。すなわち、ハサミは誰にとっても比較的簡単に切断できる用具であるので、初心者は、剃刀も同じようなものと思ってレザーカットに取り組む。ところが、初心者にとっては、頭髪を剃刀で切断すること自体が中々難しく、思い通りに切断できない。すなわち、初心者においては、剃刀は、切れ味自体がハサミに比較すると良くない道具であるという印象を与えてしまう。
【００２２】
したがって、この点を解消するために、初心者にとってもさほど切れ味が悪いと感じないような剃刀を開発する必要が生じているのが現状である。とくに、頭髪（具体的にはパネル）に剃刀を当てる際の基本は、剃刀の刃とパネルが４５°になるように刃をパネル面に入れていくということであるので、剃刀の刃とパネル面が４５°になったときに最も切れ味が優れている剃刀を開発するのが重要な問題となってきている。
【００２３】
下記に特許文献１〜３として記載するのは、いずれも頭髪を切断するための剃刀の発明あるいは考案である。しかしながら、いずれも形態が特殊であり、専門美容師が行う叙上の「レザーカット」に用い得るものではない。
【００２４】
レザーカットにおいて用いられる剃刀の一例を図１３ａ、図１３ｂに示す。図１３ａの頭髪用の剃刀ｒ１は、刃ｂ１が格納される凹部ｃ１を有するホルダー部ｈ１と手に把握する柄部ｇ１が使用時に略曲線状となる単純な形態で、ホルダー部ｈ１と柄部ｇ１は支点ｓにより枢着され、非使用時には折畳むことができる。また、図１３ｂの頭髪用の剃刀ｒ２は、刃ｂ２が格納される凹部ｃ２を有するホルダー部ｈ２と手に把握する柄部ｇ２が１直線状に一体として構成されていて、図１３ａの頭髪用の剃刀ｒ１よりさらに単純な形態となっている。
【００２５】
上記のような剃刀の形状は、美容師にとっては歴史的経過による取捨選択を経て、最も使い易い形として今に伝えられてきたものであり、特に高度なテクニックを発揮するためには最高の形状として重宝されている。昔から使い継がれてきた形状はこれのみではないが、いずれも単純な剃刀の形態である。
【００２６】
したがって、現在、美容界においては、全体の形状はあくまで従来の単純な剃刀の形状であり、しかもパネル面に４５°で刃を当てた場合に、従来の剃刀を凌駕する切れ味を示す剃刀が求められているのである。なお、特許文献４には従来の形状の剃刀におけるホルダー部の構成の一例を示す。
【特許文献１】特表２００３‐５３５６３５号公報
【特許文献２】特開２００３‐５３０６４号公報
【特許文献３】実用新案登録第３１０５８６６号公報
【特許文献４】特開平７‐３１７５８号公報
【発明の開示】
【発明が解決しようとする課題】
【００２７】
以上のような観点から、本発明の解決しようとする課題を以下のように設定した。
＜解決しようとする課題＞
頭髪用として用いる剃刀であって、刃体が格納されるホルダー部と手に把握する柄部が使用時に直線状又は曲線状あるいは屈曲線状となる従来の単純な形態の剃刀において、頭髪のパネル面に対して４５°の角度をもって刃を当てた場合に、従来の剃刀を凌駕する切れ味を示す頭髪用の剃刀あるいは頭髪用の剃刀の刃体を開発する。
【課題を解決するための手段】
【００２８】
本発明は、上記課題を解決するためになされたものであって、以下に記載する解決手段を提供するものである。
＜解決手段１＞
頭髪用として用いる剃刀であって、刃体が格納されるホルダー部と手に把握する柄部が使用時に直線状又は曲線状あるいは屈曲線状となる剃刀において、ホルダー部に格納された刃体が複数の刃を有する刃体であることを特徴とする頭髪用の剃刀の刃体。
＜解決手段２＞
複数の刃の先端が重ならないように構成されていることを特徴とする解決手段１に記載の頭髪用の剃刀の刃体。
＜解決手段３＞
複数の刃を有する刃体を、刃を下にして垂直に位置させた場合に、複数の刃の外側を構成する２枚の刃の夫々の先端を通る２枚の垂直面の間の距離が２００μｍ〜８００μｍであり、望ましくは２５０〜６００μｍであり、さらに望ましくは３００μｍ〜５００μｍであることを特徴とする解決手段２に記載の頭髪用の剃刀の刃体。
＜解決手段４＞
複数の刃を有する刃体を、刃を下にして垂直に位置させた場合に、複数の刃の外側を構成する２枚の刃の夫々の先端を結んだ面と水平面とのなす角度θが、
１＜tanθ＜４
であり、望ましくは、
１．２＜tanθ＜３
であり、さらに望ましくは、
１．５＜tanθ＜２．５
であり、かつ任意の刃の先端は必ず複数の刃の外側を構成する２枚の刃の夫々の先端を結んだ面より上方に位置しかつ複数の刃の外側を構成する２枚の刃のうちの上方に位置する刃の先端より上に位置することがないことを特徴とする解決手段３に記載の頭髪用の剃刀の刃体。
＜解決手段５＞
ホルダー部が、解決手段４に記載の複数の刃を有する頭髪用の剃刀の刃体を格納するに足る寸法を有していることを特徴とする頭髪用の剃刀。
【発明の効果】
【００２９】
本発明の、解決手段１に記載の発明においては、頭髪用として用いる剃刀であって、刃体が格納されるホルダー部と手に把握する柄部が使用時に直線状又は曲線状あるいは屈曲線状となる剃刀において、ホルダー部に格納された刃体が複数の刃を有する刃体であるので、ホルダー部に格納された刃体が１枚の刃しか有しない刃体である剃刀と比較して、切断性能においてすぐれた効果を発揮する。すなわち、例えば刃数が２枚であるとすると、１枚目の刃で切断され残った毛髪が２枚目の刃で切断されるので、個々の刃の切れ味は従来のものと変わらなくても、剃刀全体としては切れ味が向上する。このように、切れ味では従来の剃刀を凌駕しつつ、全体の形状は従来の剃刀の形状を踏襲しているので、使い勝手は従来の剃刀と同様であり、これをもって美容師は自身の有する高度なテクニックを存分に発揮することができる。また、美容師の初心者や見習者においても、使い勝手は従来の剃刀同様であるが従来の剃刀より切れ味が良く、高度なテクニックの学習において非常に便利な道具となるものである。
【００３０】
本発明の、解決手段２に記載の発明においては、解決手段１に記載の発明に加えて、複数の刃の先端が重ならないように構成されているので、複数の刃が同時にパネルに当接することが避けられる。すなわち、同一の毛髪を複数の刃で切断するという効率の悪い結果を避けられ、１枚目の刃で切れ残った毛髪を次の刃で切断するという方法で、毛髪の切断を効率良く行えるものである。
【００３１】
本発明の、解決手段３に記載の発明においては、解決手段２に記載の発明に加えて、複数の刃を有する刃体を、刃を下にして垂直に位置させた場合に、複数の刃の外側を構成する２枚の刃の夫々の先端を通る２枚の垂直面の間の距離が２００μｍ〜８００μｍであり、望ましくは２５０〜６００μｍであり、さらに望ましくは３００μｍ〜５００μｍであるので、刃体の厚さが通常の１枚刃の刃体と比較しても極端に厚くならず、したがって剃刀において刃体を格納するホルダー部の構成を従来の剃刀のホルダー部の構成と略同一のものとすることが可能である。
【００３２】
本発明の、解決手段４に記載の発明においては、解決手段３に記載の発明に加えて、複数の刃を有する刃体を、刃を下にして垂直に位置させた場合に、複数の刃の外側を構成する２枚の刃の夫々の先端を結んだ面と水平面とのなす角度θが、
１＜tanθ＜４
であり、望ましくは、
１．２＜tanθ＜３
であり、さらに望ましくは、
１．５＜tanθ＜２．５
であり、且つ任意の刃の先端は必ず複数の刃の外側を構成する２枚の刃の夫々の先端を結んだ面より上方に位置しかつ複数の刃の外側を構成する２枚の刃のうちの上方に位置する刃の先端より上に位置することがないので、剃刀の刃体をパネル面に対して４５°の角度で当接させた場合に、複数の刃が同時にパネル面に当接することがない。また、複数の刃を有する刃体を垂直に位置させた場合に、複数の刃の外側を構成する２枚の刃の夫々の先端を通る２枚の垂直面の間の距離をＤ１とし、剃刀の刃体をパネル面に対して４５°の角度で当接させた場合に、最初に当接する刃の先端がパネル面に当接したときに最後に当接する刃の先端を通りパネル面と４５°で交わる面上での最後に当接する刃の先端とパネル面との最短距離をＤ２とすれば、
Ｄ２＜３Ｄ１
となる（図６参照）。したがって、通常の厚さのパネル（１０００μｍ〜３０００μｍ程度）においては、最初にパネル面に当接する刃がパネル面の下部から脱出する前に最後にパネル面に当接する刃がパネル面に当接することになるので、パネルの緊張状態が保持された状態で複数の刃のすべてがパネルに入ることになり、切断効率が非常に高く、切断する者の感じる切れ味も非常に良好である。
【００３３】
本発明の、解決手段５に記載の発明においては、ホルダー部が、解決手段４に記載の複数の刃を有する頭髪用の剃刀の刃体を格納するに足る寸法を有しているので、複数の刃を有する頭髪用の剃刀の刃体を無理なく格納でき、かつ全体の形態は従来の頭髪用の剃刀と略同一であるので使い勝手が非常に良い。すなわち、従来の剃刀と使い勝手が殆ど変わらず、切れ味の点では従来の剃刀を遥かに凌駕する頭髪用の剃刀を得ることができ、レザーカットの技術を初心者が学習するためにも、また熟練した美容技術者がその能力を充分に発揮するためにも画期的な頭髪用の剃刀を提供できるものである。
【発明を実施するための最良の形態】
【００３４】
本発明を実施するための最良の形態を、以下に図面を参照しながら詳細に説明する。なお、以下に説明する実施例１、２は、夫々解決手段４に記載された発明（頭髪用の剃刀の刃体）及び解決手段５に記載された発明（頭髪用の剃刀）の１実施例である。
【実施例１】
【００３５】
＜実施例１の構成＞
図１ａには、実施例１の頭髪用の剃刀Ｒ１の外観斜視図を示す。頭髪用の剃刀Ｒ１は、刃体１を格納する格納部５を先端に有するホルダー部２と使用者が右手に把握する柄部３が支点４により枢着されて構成されている。使用時には図１ａの如くに展開させて用い、非使用時には、支点４を中心としてホルダー部２を図１ａにおいて時計回りに回動させてホルダー部２の大部分を柄部３に設けられた溝３１に格納する。この剃刀Ｒ１の外観形状は、図１３ａに示す従来の頭髪用の剃刀ｒ１と略同一である。
【００３６】
図１ｂには、格納部５に格納される刃体１の外観斜視図を示す。刃体１は略長方形の平板状で、下端部に刃１１、１２が構成されている。刃１１、１２は図１ｂに見るように、刃の先端が互いに重なりあわないように構成されている。図１ｂでは、奥に見える刃１１が手前に見える刃１２よりも長めに構成されている。
【００３７】
頭髪用の剃刀Ｒ１の格納部５の構成を図１１に示す。格納部５は、ホルダー部２の本体２１と一体として構成されている本体５１と、本体５１に嵌合される蓋体５２から構成されている。図１１では、蓋体５２を本体５１から脱嵌し、矢印Ｘ方向に回転させた状態を示す。したがって、蓋体５２は上下が倒立された状態で図示されているものである。
【００３８】
本体５１は、上部をなす平面部５１１と下部をなす凹部５１２と平面部５１１の下端近傍に刻設された半円溝５１３から構成されている。また、蓋体５２は、本体５１の平面部５１１と対応する平面部５２１、本体５１の凹部５１２と対応する平面部５２２、本体５１の半円溝５１３と対応する半円溝５２３から構成されている。そして、本体５１と蓋体５２が嵌合された場合に、凹部５１２と平面部５２２の間に刃体１が格納し得るだけの空間Ｓが生じるように構成されている。
【００３９】
本体５１の半円溝５１３には、円孔５１４ｂが穿設された鞘部５１４ａ、及び円孔５１５ｂが穿設された鞘部５１５ａが固着されている。また、蓋体５２の半円溝５２３には、先端が円錐状になった円筒形状の凸部５２４ｂが固着された鞘部５２４ａ、及び先端が円錐状になった円筒形状の凸部５２５ｂが固着された鞘部５２５ａが固着されている。なお、本体５１と蓋体５２が嵌合状態となった際に、凸部５２４ｂは円孔５１４ｂに回動自在に嵌合され、凸部５２５ｂは円孔５１５ｂに回動自在に嵌合され、本体５１と蓋体５２は凸部５２４ｂ及び凸部５２５ｂを枢軸として枢着されるものである。
【００４０】
本体５１の平面部５１１には凹部５１６ａ、５１６ｂ、５１６ｃが刻設されている。凹部５１６ａは中心部が略円形状となった長方形状であり、凹部５１６ｂ、５１６ｃは略半円形状で、対称に構成されている。また、蓋体５２の平面部５２１には、本体５１の凹部５１６ａ、５１６ｂ、５１６ｃに対応する、一端が半円形状となった略長方形状の凹部５２６が刻設されている。
【００４１】
凹部５１６ａには板バネ５１７が固定ピン５１８により固着されている。板バネ５１７の左端は凹部５１６ｂに、板バネ５１７の右端は凹部５１６ｃに夫々位置するように構成されている。板バネ５１７の左端近傍には山形部５１７ａが、板バネ５１７の右端近傍には山形部５１７ｂが夫々設けられている。
【００４２】
格納部５の上記構成は、図１３に示す従来の頭髪用の剃刀ｒ１のホルダー部ｈ１の先端部分の構成と略同一であり、公知技術である。ただ、本体５１において、凹部５１２が、複数の刃を有する刃体１を余裕をもって格納できるように、従来の頭髪用の剃刀ｒ１の刃体ｂ１を格納する凹部ｃ１よりやや広く構成されている点が異なっているものである。
【００４３】
蓋体５２を本体５１に嵌合させる場合には、図１１の状態から蓋体５２を矢印Ｘとは逆方向に回転させ、凸部５２４ｂの先端を円孔５１４ｂの至端に当接させ且つ凸部５２５ｂの先端を円孔５１５ｂの至端に当接させ、蓋体５２をホルダー部２の本体２１の方向（図１１にて左方向）に摺動させる。すると、凸部５２４ｂが円孔５１４ｂに嵌合し、凸部５２５ｂが円孔５１５ｂに嵌合し、蓋体５２は凸部５２４ｂ、凸部５２５ｂにより本体５１に枢着される。なお、この状態では刃体１は格納されていない。
【００４４】
この状態で格納部５の頂部５３（図１ａも合わせ参照）を構成する本体５１の平面部５１１の頂部５３ａと蓋体５２の平面部５２１の頂部５３ｂは若干乖離した状態となる。その理由は、蓋体５２の平面部５２１が板バネ５１７の作用により外側に付勢されるからである。すなわち、本体５１と蓋体５２は凸部５２４ｂ、５２５ｂを枢軸として、頂部５３がやや開き、凹部５１２と平面部５２２が閉じられた状態となる。なお、板バネ５１７の山形部５１７ａ、５１７ｂは蓋体５２の凹部５２６に当接してこれを外側に付勢している状態にある。
【００４５】
上記の状態にある格納部５に刃体１を格納する方法は以下に述べるとおりである。すなわち、親指と人差指で格納部５の頂部５３を強く挟着すると、板バネ５１７の作用により僅かに開いていた頂部５３ａと頂部５３ｂが閉じられる。すると、凸部５２４ｂ、５２５ｂを枢軸として平面部５２２が外側に回動し、凹部５１２と平面部５２２が僅かに開かれるので、その隙間に刃体１を挿入する。この際、刃体１は、凹部５１２と平面部５２２から刃１１，１２のみが突出する状態を所定の位置（図１ａの状態）とし、この所定の位置に確実に挿入する。
【００４６】
刃体１を挿入した後、頂部５３を挟着していた指の力を緩めれば、板バネ５１７の作用により頂部５３ａと頂部５３ｂは開かれ、凹部５１２と平面部５２２が閉じられる。凹部５１２と平面部５２２は板バネ５１７と凸部５２４ｂ、５２５ｂの作用により閉じる方向へ付勢され続けるので、刃体１は凹部５１２内の所定の位置で凹部５１２と平面部５２２に挟着され、安定する。なお、図１２は、刃先に指先保護用のガードＧ（公知技術）を設けた複数刃を有する刃体１´である。このような刃体１´を格納部５に格納しても良いのは当然である。
【００４７】
次に、刃体１の構成について詳細に述べる。図２ａは図１の一部を省略したＡ−Ａ断面図で、刃体１の縦断面を示す。刃体１は、図２ａに見るように、３枚の平板Ｐ１、Ｐ２、Ｐ３が固着されて構成されており、平板Ｐ１の下部は刃１１となり、平板Ｐ２の下部は刃１２となっていて、刃１１の先端１１ａは刃１２の先端１２ａよりも下方に位置するように構成されている。また、中間の平板Ｐ３には刃はなく、平板Ｐ３の上端部は平板Ｐ１、Ｐ２の上端部と同一線上にくるが、平板Ｐ３の下端部は平板Ｐ１、Ｐ２の下端部（すなわち先端１１ａ、１２ａ）よりも短く構成されているので、刃１１、１２の中間には間隙１３が生じている。また、刃１１の厚みｄ１、刃１２の厚みｄ２、中間部１３の厚みｄ３は夫々等しく構成されている。なお、刃１１の先端１１ａは平板Ｐ１の中心を通る面ｐ１上にあり、刃１２の先端１２ａは平板Ｐ２の中心を通る面ｐ２上にある。
【００４８】
図２ｂは全体を一体の平板Ｐ１０１として構成した刃体１００で、平板Ｐ１０１の下端には刃１１１、１１２が構成され、刃１１１、１１２の中間に間隙１１３を設けてある。刃１１１の先端１１１ａが刃１１２の先端１１２ａよりも下方に位置するように構成されている点は刃体１と同様である。また、刃１１１の厚みｄ４、刃１１２の厚みｄ５、中間部１１３の厚みｄ６は夫々等しく構成されている。刃体１００は刃体１と同様の要領で頭髪用の剃刀Ｒ１の格納部５に格納して使用される。
【００４９】
図２ｃは全体を２枚の平板Ｐ２０１、２０２を固着させて構成した刃体２００で、平板Ｐ２０１の下端には刃２１１が構成され、平板Ｐ２０２の下端には刃２１２が構成されている。刃２１１の先端２１１ａが刃２１２の先端２１２ａよりも下方に位置するように構成されている点は刃体１と同様である。また、刃２１１の厚みｄ７、刃２１２の厚みｄ８は夫々等しく構成されている。刃体２００は刃体１と同様の要領で頭髪用の剃刀Ｒ１の格納部５に格納して使用される。
【００５０】
図２ｄは全体を一体の平板Ｐ３０１として構成した刃体３００で、平板Ｐ３０１の下端には刃３１１、３１２が構成されている。刃３１１の先端３１１ａが刃３１２の先端３１２ａよりも下方に位置するように構成されている点は刃体１と同様である。また、刃３１１の厚みｄ９、刃３１２の厚みｄ１０は夫々等しく構成されている。刃体３００は刃体１と同様の要領で頭髪用の剃刀Ｒ１の格納部５に格納して使用される。
【００５１】
図３は図２ａの刃１１、１２の部分を拡大した状態を示す。刃体１を刃１１、１２を下にして垂直に立てた場合に、刃１１の先端１１ａと刃１２の先端１２ａを通る平面が水平面となす角度をθとする。また、刃１１の先端１１ａを通る垂直の面ｐ１と刃１２の先端１２ａを通る垂直の面ｐ２の間の距離をＤ１とすると、Ｄ１は平板Ｐ１の厚さｄ１（図２ａ参照）と平板Ｐ２の厚さｄ２の合計に等しい（図２ａの状態でｄ１＝ｄ２＝ｄ３と仮定した場合）。
【００５２】
Ｄ１の寸法範囲は、上記から、刃体を構成する平板の厚さによって決まってくるのは明らかである。通常の１枚刃の剃刀の刃体ｂ１（図１３ａ参照）の厚みを２００〜３００μｍ程度とすると、複数刃となった場合も理想的にはこの程度の厚みであれば、格納部５（図１ａ参照）の凹部５１２（図１１参照）に設ける格納用の空間Ｓも従来の剃刀ｒ１（図１３ａ参照）と同程度で良い。しかし、刃１１、１２の厚さは刃体１（図１ｂ参照）の厚さ半分以下となるので、刃体１が薄いと刃１１、１２の厚さはさらに薄くなり、強度的に問題が生じる。
【００５３】
したがって、Ｄ１の寸法の下限を２００μｍとした。Ｄ１の寸法が２００μｍの場合、刃体１を図２ａのような構成とするなら、刃体１の厚さは３００μｍ程度となり、図２ｃのような構成とするなら、刃体２００の厚さは４００μｍ程度となる。この場合、図２ａ、図２ｂのような構成では、ｄ１、ｄ２、ｄ３あるいはｄ４、ｄ５、ｄ６の平均厚は１００μｍ程度となるので、強度的にはぎりぎりの数値であると考えられる。図２ｃ、図２ｄのような構成の場合には、ｄ７、ｄ８あるいはｄ９、ｄ１０の平均厚は２００μｍ程度となる。
【００５４】
一方、Ｄ１の上限は、空間Ｓ（図１１参照）のサイズをどこまで大きくできるかにかかっているが、Ｄ１を８００μｍとすると、刃体１を図２ａのような構成とするなら、刃体１の厚さは１２００μｍ程度となり、図２ｃのような構成とするなら、刃体１の厚さは１６００μｍ程度となる。従来の頭髪用の剃刀ｒ１（図１３ａ参照）における刃体ｂ１が格納される凹部ｃ１によって生じる空間の寸法（厚さ）が１ｍｍ程度であるので、刃体１の厚さとしては１６００μｍ程度が限界であり、これを越えると格納部５（図１ａ参照）を従来の頭髪用の剃刀ｒ１よりも大きく作らなくてはならなくなり、したがって使い勝手が変わってしまう。したがって、Ｄ１の上限を８００μｍとした。
【００５５】
Ｄ１の寸法においてさらに望ましい数値を出すならば、下限では２５０μｍ、あるいは３００μｍという値が出る。Ｄ１の寸法が２５０μｍの場合、刃体１を図２ａのような構成とするなら、刃体１の厚さは３７５μｍ程度となり、図２ｃのような構成とするなら、刃体２００の厚さは５００μｍ程度となる。また、Ｄ１の寸法が３００μｍの場合、刃体１を図２ａのような構成とするなら、刃体１の厚さは４５０μｍ程度となり、図２ｃのような構成とするなら、刃体２００の厚さは６００μｍ程度となる。
【００５６】
また、上限では６００μｍ、あるいは５００μｍという値を出し得る。Ｄ１の寸法が６００μｍの場合、刃体１を図２ａのような構成とするなら、刃体１の厚さは９００μｍ程度となり、図２ｃのような構成とするなら、刃体２００の厚さは１２００μｍ程度となる。また、Ｄ１の寸法が５００μｍの場合、刃体１を図２ａのような構成とするなら、刃体１の厚さは７５０μｍ程度となり、図２ｃのような構成とするなら、刃体２００の厚さは１０００μｍ程度となる。
【００５７】
このような数値の場合には、ｄ１、ｄ２、ｄ３あるいはｄ７、ｄ８も強度的に十分な厚みが取れるし、格納部５の構成を従来の頭髪用の剃刀ｒ１と略同一とすることが可能である。すなわち、強度的にも十分で、なおかつ空間Ｓ（図１１参照）を従来の頭髪用の剃刀ｒ１の凹部ｃ１と同一かやや広くするのみで、殆どの構成を従来の頭髪用の剃刀ｒ１と略同一とし得るので、使い勝手が殆ど換わらない頭髪用の剃刀Ｒ１を提供できるものである。
【００５８】
図４は刃体１をパネルＰに対して４５°の角度にて当接させ、パネルＰを構成する毛髪ｈ、ｈ、…を切断せんとしている状態を示す。図７ａに見るように、美容師が顧客Ｃの頭髪を美容調髪する際には、左手で頭髪からパネルＰを取り、右手に頭髪用の剃刀Ｒ１を持ち、パネルＰに刃１１、１２を押し当てて切断する。この際、図７ｂに見るように、パネルＰは左手の人差指と中指の間に挟着され緊張されるので、全体が薄板状となる。この状態にて切断線αに頭髪用の剃刀Ｒ１（図７ａ参照）を４５°の角度で当接させ、切断する。なお、パネルＰの厚さＰＤは、場合によって大きく異なってくるが、前述のように１０００μｍ〜３０００μｍ程度の範囲となると思われる。図４では、Ｄ１を５００μｍ、ＰＤは１４００μｍ程度とした場合を示している。
【００５９】
このとき、図４に見るように、角度θが４５°を少し越えている場合には、刃１１がパネルＰを切断した後、少し遅れて刃１２がパネルＰを切断することになる。すなわち、刃１１にて切り残された毛髪ｈ、ｈ、…を刃１２で切断するという当初の目的が可能となる。
【００６０】
しかるに、図５に示すように、角度θが４５°の場合には、刃１１と刃１２が同時にパネルＰに当接し、切断も同時に行われる。すなわち、刃１２が刃１１より遅れて切断するということができない状態である。したがって、この状態を避けようと思うなら、角度θは４５°を越えている必要がある。すなわち、tanθが１を越えている必要がある。
【００６１】
tanθの上限については、例えば図６に示すように、tanθが４に近い値となると、刃１１の先端１１ａがパネルＰに当接した瞬間に、刃１２の先端１２ａはパネルＰから先端１１ａと先端１２ａの距離Ｄ１の３倍近い距離にあることになる。すなわち、刃１２の中心を通る面ｐ２に沿って先端１２ａはパネルＰに接近していくので、先端１２ａがパネルＰに当接するまでに距離Ｄ１の３倍近い距離を移動せねばならない。この距離Ｄ２は、距離Ｄ１を５００μｍとすれば１５００μｍ近い距離となる。したがって、パネルＰの厚さＰＤが１５００μｍ÷√２（＝約１０６０μｍ）以下の場合には、先端１２ａがパネルＰに当接する前に刃１１がパネルＰを切断し終わってしまう。
【００６２】
パネルＰの厚さは、上述のように通常１０００μｍ〜３０００μｍ程度と思われるので、上記の１０６０μｍという厚さは略下限の１０００μｍに近い。したがって、tanθの上限として、tanθが４を越えないことという限定を設けた。このようにすれば、パネルＰの厚さＰＤが薄い場合でも、刃１１の先端１１ａがパネルＰを切断し終わる前に刃１２の先端１２ａがパネルＰに当接することとなる。
【００６３】
以上は、tanθの上限と下限を広く取った場合のことであるが、この範囲内で望ましい数値を限定するならば、１．２＜tanθ＜３程度が適切であろう。１．２＜tanθとしておけば、パネルＰの表面が若干カーブしたとしても先端１２ａが先端１１ａと同時にパネルＰに当接することは略あり得なくなる。またtanθ＜３とすると、パネルＰの厚さが１０００μｍを切った場合に、先端１１ａがパネルＰを切断し終えてから先端１２ａがパネルＰに当接するという事態が減少する。そして、上記限定をさらに絞り込むなら、図４に示す理想的な状態（tanθが１．７〜２．０）を含んでその前後の状態、すなわち、１．５＜tanθ＜２．５をさらに望むべき範囲として限定することも可能である。
【００６４】
図８は、３枚の刃４１１、４１２、４１３を有する刃体４００の先端部分の縦断面図である。また、図９は、刃体４００が４５°の角度でパネルＰに当接した状態を示す。この場合にも、距離Ｄ１及び角度θを夫々上記と同様の値に限定し得るものである。すなわち、刃の数が何枚になろうとも、刃体を垂直に立てた場合に、外側を構成する２枚の刃の先端を結ぶ面が水平面となす角度をθ、外側を構成する２枚の刃の夫々の先端を通る２枚の垂直面の間の距離をＤ１とすると、角度θと距離Ｄ１は刃体１の場合と同様の数値をもって限定し得るものである。
【００６５】
＜実施例１の作用＞
図１ａに示す実施例１の頭髪用剃刀Ｒ１においては、使用にあたって図１ａの状態にホルダー部２と柄部３を展開し、格納部５に刃体１を格納する。この際、前述のように、格納部５の頂部５３を親指と人差指で挾着して圧力を加えると格納部５の下部が開くので、その空間に刃体１を格納して図１ａに示す状態とする。
【００６６】
次に、図７ａに示すように、顧客Ｃの頭髪からパネルＰを取り、図７ｂに示す切断線αの位置に刃１１、１２（図１ｂ参照）を４５°の角度をもって当て、パネルＰを切断する。この際、刃１１、１２は、図４に示すように先端１１ａと先端１２ａの位置関係が角度θ、距離Ｄ１をもって配置されているので、刃１１がまずパネルＰに当接し、刃１１がパネルＰの切断を終えないうちに刃１２がパネルＰに当接し切断を開始する。これにより、刃１１によって切断され残った毛髪ｈ、ｈ、…が刃１２によって切断されることとなり、使用者が初心者であっても良好な切れ味を実感することができる。
【実施例２】
【００６７】
図１０ａに示す実施例２の頭髪用の剃刀Ｒ２は、左ききの人のためのもので、すべての構成が図１ａに示す実施例１の頭髪用の剃刀Ｒ１と左右対称になっている。また、図１０ｂに示す刃体１０は実施例２の頭髪用の剃刀Ｒ２に用いられるもので、やはりすべての構成が図１ｂに示す実施例１の頭髪用の剃刀の刃体１と左右対称になっている。実施例２の頭髪用の剃刀Ｒ２の作用は、使用者が左手に持って使用する点のみが異なるだけで実施例１の頭髪用の剃刀Ｒ１の作用と略同一である。
【産業上の利用可能性】
【００６８】
実施例１、実施例２は共にホルダー部と柄部が折畳まれる形式の頭髪用の剃刀であるが、本発明は、このような形式の頭髪用の剃刀には当然限定されるものではなく、いかなる形式の頭髪用の剃刀にも用い得るものである。例えば、図１３ｂに示す頭髪用の剃刀ｒ２は柄部ｇ２とホルダー部ｈ２が直線状に一体として構成された従来の頭髪用の剃刀の一例であるが、この頭髪用の剃刀ｒ２においても、刃体ｂ２の構成を複数刃を有するものとするのみで、本発明が実現し得る。あるいは、複数刃を有する刃体が従来の刃体ｂ２より若干厚くなれば、それに応じてホルダー部ｈ２の構成を若干変化させるだけで良い。したがって、美容師の好みや習熟度に応じて様々なタイプの頭髪用の剃刀を提供し得る。ゆえに本発明は非常に応用範囲が広く、美容業界の今後の発展に大きく貢献し得るものである。
【図面の簡単な説明】
【００６９】
【図１】（ａ）本発明の実施例１の頭髪用の剃刀の外観斜視図である。    （ｂ）本発明の実施例１の頭髪用の剃刀の刃体の外観斜視図である。
【図２】本発明    （ａ）図１ｂのＡ−Ａ断面図（一部省略）である。    （ｂ）本発明の実施例１の頭髪用の剃刀の刃体の別の構成を示す縦断面図（一部省略）である。    （ｃ）本発明の実施例１の頭髪用の剃刀の刃体の別の構成を示す縦断面図（一部省略）である。    （ｄ）本発明の実施例１の頭髪用の剃刀の刃体の別の構成を示す縦断面図（一部省略）である。
【図３】図２ａの先端部分の拡大図である。
【図４】本発明の実施例１の頭髪用の剃刀の作用を説明する説明図である。
【図５】本発明の実施例１の頭髪用の剃刀の作用を説明する説明図である。
【図６】本発明の実施例１の頭髪用の剃刀の作用を説明する説明図である。
【図７】（ａ）本発明の実施例１の頭髪用の剃刀の作用を説明する説明図である。    （ｂ）本発明の実施例１の頭髪用の剃刀の作用を説明する説明図である。
【図８】本発明の実施例１の頭髪用の剃刀の刃体の別の形態を示す刃体の先端部分の縦断面図である。
【図９】図８に示す刃体の先端部分の作用を説明する説明図である。
【図１０】（ａ）本発明の実施例２の頭髪用の剃刀の外観斜視図である。    （ｂ）本発明の実施例２の頭髪用の剃刀の刃体の外観斜視図である。
【図１１】本発明の実施例１の頭髪用の剃刀の格納部の構成を説明する説明図である。
【図１２】本発明の実施例１の頭髪用の剃刀の刃体の別の形態を示す外観斜視図である。
【図１３】（ａ）従来の頭髪用の剃刀の一例の外観斜視図である。    （ｂ）従来の頭髪用の剃刀の一例の外観斜視図である。
【符号の説明】
【００７０】
１      刃体
１００  刃体
１´    刃体
１１    刃
１１１  刃
１１１ａ  先端
１１２  刃
１１２ａ  先端
１１３  間隙
１１ａ  先端
１２    刃
１２ａ  先端
２      ホルダー部
２００  刃体
２１    本体
２１１  刃
２１１ａ  先端
２１２ａ  先端
２１２  刃
３      柄部
３００  刃体
３１    溝
３１１  刃
３１１ａ  先端
３１２  刃
３１２ａ  先端
４      支点
４００  刃体
４１１  刃
４１２  刃
４１３  刃
５      格納部
５１    本体
５１１  平面部
５１２  凹部
５１３  半円溝
５１４ａ  鞘部
５１４ｂ  円孔
５１５ａ  鞘部
５１５ｂ  円孔
５１６ａ  凹部
５１６ｂ  凹部
５１６ｃ  凹部
５１７  板バネ
５１７ａ  山形部
５１７ｂ  山形部
５１８  固定ピン
５２    蓋体
５２１  平面部
５２２  平面部
５２３  半円溝
５２４ａ  鞘部
５２４ｂ  凸部
５２５ａ  鞘部
５２５ｂ  凸部
５２６  凹部
５３    頂部
５３ａ  頂部
５３ｂ  頂部
Ｃ      顧客
Ｄ１    距離
Ｄ２    距離
Ｇ      ガード
ＨＢ    頭髪の束
Ｐ      パネル
Ｐ１    平板
Ｐ１０１  平板
Ｐ２    平板
Ｐ２０１  平板
Ｐ２０２  平板
Ｐ３    平板
Ｐ３０１  平板
ＰＤ    厚さ
Ｒ１    頭髪用の剃刀
Ｓ      空間
Ｘ      矢印
ｂ１    刃
ｂ２    刃
ｃ１    凹部
ｃ２    凹部
ｄ１    厚み
ｄ２    厚み
ｄ３    厚み
ｄ４    厚み
ｄ５    厚み
ｄ６    厚み
ｄ７    厚み
ｄ８    厚み
ｄ９    厚み
ｄ１０  厚み
ｇ１    柄部
ｇ２    柄部
ｈ      毛髪
ｈ１    ホルダー部
ｈ２    ホルダー部
ｐ１    面
ｐ２    面
ｒ１    頭髪用の剃刀
ｒ２    頭髪用の剃刀
ｓ      支点
α      切断線
β      切断線
θ      角度
【図１】
2006212249.tif 000003
【図２】
2006212249.tif 000004
【図３】
2006212249.tif 000005
【図４】
2006212249.tif 000006
【図５】
2006212249.tif 000007
【図６】
2006212249.tif 000008
【図７】
2006212249.tif 000009
【図８】
2006212249.tif 000010
【図９】
2006212249.tif 000011
【図１０】
2006212249.tif 000012
【図１１】
2006212249.tif 000013
【図１２】
2006212249.tif 000014
【図１３】
2006212249.tif 000015
【手続補正書】
【提出日】平成17年6月10日(2005.6.10)
【手続補正１】
【補正対象書類名】特許請求の範囲
【補正対象項目名】全文
【補正方法】変更
【補正の内容】
【特許請求の範囲】
【請求項１】
頭髪用として用いる剃刀であって、刃体が格納されるホルダー部と手に把握する柄部が支点により枢着されて構成され、支点を中心として使用時にホルダー部と柄部とが直線状又は曲線状あるいは屈曲線状となる剃刀において、複数の刃の先端が重ならないようにした刃体を、刃を下にして垂直に位置させた場合に、複数の刃の外側を構成する２枚の刃の夫々の先端を通る２枚の垂直面の間の距離が２００μｍ〜８００μｍとし、さらに複数の刃を有する刃体を、刃を下にして垂直に位置させた場合に、複数の刃の外側を構成する２枚の刃の夫々の先端を結んだ面と水平面とのなす角度θが、１＜tanθ＜４であり、かつ任意の刃の先端は必ず複数の刃の外側を構成する２枚の刃の夫々の先端を結んだ面より上方に位置し、かつ複数の刃の外側を構成する２枚の刃のうちの上方に位置する刃の先端より上に位置することがないことを特徴とする頭髪用の剃刀の刃体。
【請求項２】
ホルダー部が、請求項１に記載の複数の刃を有する頭髪用の剃刀の刃体を格納するに足る寸法を有していることを特徴とする頭髪用の剃刀。
【手続補正書】
【提出日】平成17年7月26日(2005.7.26)
【手続補正１】
【補正対象書類名】特許請求の範囲
【補正対象項目名】請求項１
【補正方法】変更
【補正の内容】
【請求項１】
頭髪用として用いる剃刀であって、刃体が格納されるホルダー部と手に把握する柄部が支点により枢着されて構成され、支点を中心として使用時にホルダー部と柄部とが直線状又は曲線状あるいは屈曲線状となる剃刀において、複数の刃の先端が重ならないようにした刃体を、刃を下にして垂直に位置させた場合に、複数の刃の外側を構成する２枚の刃の夫々の先端を通る２枚の垂直面の間の距離が３００μｍ〜５００μｍとし、さらに複数の刃を有する刃体を、刃を下にして垂直に位置させた場合に、複数の刃の外側を構成する２枚の刃の夫々の先端を結んだ面と水平面とのなす角度θが、１＜tanθ＜４であり、望ましくは、１．２＜tanθ＜３であり、さらに望ましくは、１．５＜tanθ＜２．５であり、かつ任意の刃の先端は必ず複数の刃の外側を構成する２枚の刃の夫々の先端を結んだ面より上方に位置し、かつ複数の刃の外側を構成する２枚の刃のうちの上方に位置する刃の先端より上に位置することがないことを特徴とする頭髪用の剃刀の刃体。
【手続補正書】
【提出日】平成17年10月28日(2005.10.28)
【手続補正１】
【補正対象書類名】特許請求の範囲
【補正対象項目名】請求項１
【補正方法】変更
【補正の内容】
【請求項１】
頭髪用として用いる剃刀であって、刃体が格納されるホルダー部と手に把握する柄部が支点により枢着されて構成され、支点を中心として使用時にホルダー部と柄部とが直線状又は曲線状あるいは屈曲線状となる剃刀において、複数の刃の先端が重ならないようにした刃体を、刃を下にして垂直に位置させた場合に、複数の刃の外側を構成する２枚の刃の夫々の先端を通る２枚の垂直面の間の距離が３００μｍ〜５００μｍとし、さらに複数の刃を有する刃体を、刃を下にして垂直に位置させた場合に、複数の刃の外側を構成する２枚の刃の夫々の先端を結んだ面と水平面とのなす角度θが、１＜tanθ＜４であり、かつ任意の刃の先端は必ず複数の刃の外側を構成する２枚の刃の夫々の先端を結んだ面より上方に位置し、かつ複数の刃の外側を構成する２枚の刃のうちの上方に位置する刃の先端より上に位置することがないことを特徴とする頭髪用の剃刀の刃体。